(57)【要約】【課題】  リモコンからの操作信号を受光しやすいように、リモコンの受光部を設ける。【解決手段】  デジタルカメラ１０は、撮影光学系ユニット１１と、表示素子ユニット１２とを有する。これら２つのユニットを、軸部１３で連結する。表示素子ユニット１２は、撮影光学系ユニット１１に対して相対的に軸部１３を中心に回動可能である。表示素子ユニット１１の背面１１ｂに、液晶表示部１５を設ける。液晶表示部１５を設けた背面１１ｂのみにリモコンの受光窓４０を設ける。【選択図】        図１
2006094139.tif 000002
【特許請求の範囲】
【請求項１】
リモコンから無線送信される操作信号を受信して動作可能なデジタルカメラにおいて、
撮影光学系を有する撮影光学系ユニットと、
前記撮影光学系ユニットに連結され、前記撮影光学系で捉えられた被写体画像を表示するための表示素子を有し、さらに前記撮影光学系ユニットに対して回動可能な表示素子ユニットとを備え、
前記表示素子ユニットは、前記表示素子が配設された面のみに前記操作信号を受信するための受信部を有することを特徴とするデジタルカメラ。
【請求項２】
前記表示素子ユニットおよび前記撮影光学系ユニットは軸部によって連結され、前記表示素子ユニットは、前記表示素子が前記軸部の軸を中心に回転するように、前記撮影光学系ユニットに対して回動可能であることを特徴とする請求項１に記載のデジタルカメラ。
【請求項３】
前記表示素子が配設された面には、複数の操作部材が設けられ、前記操作部材および前記受信部は、前記表示素子の下方部に、直線的に並んで設けられることを特徴とする請求項１に記載のデジタルカメラ。
【請求項４】
前記操作信号は、光信号であることを特徴とする請求項１に記載のデジタルカメラ。
【請求項５】
前記リモコンは、複数の種類の前記操作信号を送信することを特徴とする請求項１に記載のデジタルカメラ。
【請求項６】
前記操作信号は、前記デジタルカメラに撮影動作を行わせるための信号であることを特徴とする請求項１に記載のデジタルカメラ。
【請求項７】
前記操作信号は、前記表示素子に表示される画像の倍率を変更させるための信号であることを特徴とする請求項１に記載のデジタルカメラ。
【請求項８】
前記操作信号は、前記表示素子に表示される画像を切り替えるための信号であることを特徴とする請求項１に記載のデジタルカメラ。
【発明の詳細な説明】
【技術分野】
【０００１】
本発明は、デジタルカメラのリモコン受光部の配置に関する。
【背景技術】
【０００２】
従来、リモコンからの無線信号を受信して、動作可能なデジタルカメラが広く知られている。このようなデジタルカメラは、リモコン操作がセルフ撮影に利用されることが想定されているので、一般的にレンズが配置されているカメラの前面にリモコンの受光部が設けられる。
【０００３】
しかし、リモコンの受光部は、限られた方向からしか光を感知することができない。したがって、上述のように、リモコンの受光部が前面のみに設けられた場合、例えばカメラの後方からリモコンを用いてデジタルカメラを操作することはできないので、表示モニタを視認しながら、リモコン操作をすることはできない。
【０００４】
そこで、特許文献１ではその問題点を解決するため、前面および背面にリモコンの受光部が設けられるデジタルカメラが提案されている。このデジタルカメラでは、カメラの前方および後方からリモコンを用いてカメラを操作することができるので、撮影時のみならず、液晶表示部の画面送り等も液晶表示部を見ながらリモコン操作により行うことが可能である。
【特許文献１】特開平１１−５５７６８号公報
【発明の開示】
【発明が解決しようとする課題】
【０００５】
一般的に受光部に入射されたリモコンからの無線信号は、受光センサで感知され、受光センサにおいてその無線信号の種類等が識別される。特許文献１のデジタルカメラにおいては、上述したように２つの受光部が設けられるので、その２つの受光部から得られた光を１つの受光センサで感知させなければならない。しかし、２つの光を１つの受光センサで感知させようとすると、例えば特許文献１の図２に示すように、付加的な部材が必要となり、これにより特許文献１のカメラは、製造が複雑になるとともに、小型化が妨げられる。
【０００６】
一方、近年、液晶表示部と、撮影光学系がそれぞれ別ユニットに設けられ、一方のユニットが他方のユニットに対して回動するデジタルカメラが提案されているが、このようなデジタルカメラにおいて、液晶表示部のユニットにリモコンの受光部が設けられることは提案されていない。
【０００７】
そこで、本発明は、以上の問題に鑑みて成されたものであり、簡単な構成で、リモコンの操作性が向上するデジタルカメラを提供することを目的とする。
【課題を解決するための手段】
【０００８】
本発明に係るデジタルカメラは、リモコンから無線送信される操作信号を受信して動作可能なデジタルカメラであって、撮影光学系を有する撮影光学系ユニットと、撮影光学系ユニットに連結され、撮影光学系で捉えられた被写体画像を表示するための表示素子を有し、さらに撮影光学系ユニットに対して回動可能な表示素子ユニットとを備える。そして、この表示素子ユニットは、表示素子が配設された面のみに操作信号を受信するための受信部を有することを特徴とする。
【０００９】
表示素子ユニットおよび撮影光学系ユニットが軸部によって連結される場合、表示素子ユニットは、表示素子が軸部の軸を中心に回転するように、撮影光学系ユニットに対して回動可能である。
【００１０】
表示素子が配設された面に、複数の操作部材が設けられる場合、操作部材および受信部は、表示素子の下方部に、直線的に並んで設けられることが好ましい。操作信号は、光信号であることが好ましい。
【００１１】
リモコンは、複数の種類の操作信号を送信することが好ましく、操作信号は例えばデジタルカメラに撮影動作を行わせるための信号である。また操作信号は、例えば表示素子に表示される画像の倍率を変更させるための信号である。さらに操作信号は、例えば表示素子に表示される画像を切り替えるための信号である。
【発明の効果】
【００１２】
本発明に係るデジタルカメラは、表示素子が回動するのに合わせて、リモコンの受光部も回動するので、使用者は表示素子の画像を視認できる方向から、常にリモコンによりデジタルカメラを操作することができる。
【発明を実施するための最良の形態】
【００１３】
図１は本発明に係る一実施形態を適用したデジタルカメラの背面図である。本実施形態に係るデジタルカメラ１０は、撮影光学系１４（図２参照）を有する撮影光学系ユニット１１と、液晶表示部１５を有する表示素子ユニット１２とで構成される。撮影光学系ユニット１１と表示素子ユニット１２は、それぞれ薄い箱状を有し、軸部１３によって連結される。軸部１３の軸Ｘは、ユニット１１、１２の中心軸を通るように図１において水平方向に延びる。表示素子ユニット１２は、その正面１２ａおよび背面１２ｂが軸Ｘの周りを回るように、軸部１３を中心に、撮影光学系ユニット１１に対して相対的に回動可能である。
【００１４】
例えば図１に示すように、表示素子ユニット１２の背面１２ｂは、撮影光学系ユニット１１の背面１１ｂと同一平面上に定められる。ここで、図１の状態から、表示素子ユニット１２が軸部１３を中心に、撮影光学系ユニット１１に対して１８０°回転させられると、図２に示すように表示素子ユニット１２の背面１２ｂは、撮影光学系ユニット１１の正面１１ａと同一の平面上に定められる。
【００１５】
表示素子ユニット１２の側面にはカードスロット（図示せず）が形成されている。カードスロットは記録媒体（図示せず）を表示素子ユニット１２内に挿入するために設けられ、カードスロットの内部には記録媒体が装着されるカードコネクタ（図示せず）が設けられている。
【００１６】
図２に示すように、撮影光学系ユニット１１の正面１１ａの上方部には撮影光学系１４が設けられる。撮影光学系ユニット１１の正面の左下部にはストロボ装置の発光部３０が設けられる。撮影光学系ユニット１１において、撮影光学系１１の光軸後方には、図示されない撮像素子（例えばＣＣＤ）が設けられる。
【００１７】
表示素子ユニット１２に設けられた液晶表示部１５は、表示窓１５ａと、液晶モニタ（表示素子）１５ｂで構成される。図１、図２に示すように、表示素子ユニット１２の背面１２ｂの大部分には液晶窓１５ａが設けられ、液晶窓１５ａの全体に面するように液晶モニタ１５ｂが、背面１２ｂの内側に設けられる。背面１２ｂに対向する液晶モニタ１５ｂの表示面１５ｃには、撮影光学系１４で捉えられた動画および静止画、さらには記録媒体に格納された静止画が表示される。
【００１８】
背面１２ｂにおいて、液晶窓１５ａの右横には再生スイッチ２６と、ズームスイッチ２７が設けられる。また、表示素子ユニット１２の上面１２ｃには、レリーズボタン２０、および電源スイッチ２２が設けられる。電源がＯＦＦの状態において、電源スイッチ２２が押されると、デジタルカメラ１０の動作が開始し、デジタルカメラ１０では撮影モードが開始される。
【００１９】
背面１２ｂにおける液晶窓１５ａの下側には、複数の操作部材（ディスプレイスイッチ２８、十字スティック２９、Ｆｎ（ファンクション）スイッチ３０、メニュースイッチ３１）、および受光窓（受信部）４０が設けられる。複数の操作部材および受光窓４０は、左右方向に直線的に並べられ、受光窓４０が最も右側に配置される。受光窓４０の内側には、受光センサ（図示せず）が設けられる。
【００２０】
受光窓４０に向かって、光信号である操作信号が、図示されないリモコンから無線送信された場合、操作信号は、受光窓４０に受光される。受光窓４０で受光された操作信号は、受光センサに入力され、デジタルカメラ１０では、入力された操作信号に応じて、所定の動作が行われる。
【００２１】
リモコンは、複数のスイッチを有し、それらスイッチが押されると、操作信号を発信する。複数のスイッチは例えば第１ないし第５のスイッチであって、スイッチ毎に異なる種類の操作信号が発信される。
【００２２】
第１のスイッチは、レリーズボタン２０と同様の働きをし、例えば、撮影モードにおいて、第１のスイッチが押され、第１の操作信号が受光センサに入力されると、受光センサでは第１の操作信号に基づいて、撮影動作が行われる。すなわち、第１のスイッチが押されると、撮像素子が露光され、撮影光学系１４で捉えられた画像が、静止画像として記録媒体に記録される。
【００２３】
一方、第２または第３のスイッチは、ズームスイッチ２７と同様の働きをする。したがって、例えば撮影モードにおいて、第２のスイッチが押され、第２の操作信号が受光センサに入力されると、撮影光学系１４の各レンズの位置が調整され、撮影素子に結像される被写体像の倍率が大きくなり、液晶表示部１５に表示される被写体像の倍率も大きくなる。同様に第３のスイッチが押されると、撮影素子に結像され、液晶表示部１５に表示される被写体像の倍率が小さくなる。
【００２４】
また、第４のスイッチは、例えば再生スイッチ２６と同様の働きをする。したがって、撮影モードにおいて、第４のスイッチが押され、第４の操作信号が受光センサに入力されると、再生モードに切り替えられる。一方、再生モードにおいて、第４の操作信号が入力されると、撮影モードに切り替えられる。
【００２５】
デジタルカメラ１０が再生モードであるときに、第５のスイッチが押され、第５の操作信号が受光センサに入力されると、液晶表示部１５に表示される再生画像が切り替えられる。すなわち、第４のスイッチが押され再生モードに切り替えられると、液晶表示部１５には、記録媒体に最も直近に保存された画像が再生表示される。そのときに、第５の操作信号が入力されると、入力される毎に、記録媒体に保存された画像が保存された順に順次液晶表示部１５に再生表示される。
【００２６】
受光窓４０および液晶表示部１５は、上述したように表示素子ユニット１２に設けられ、これにより、表示素子ユニット１２が撮影光学系ユニット１１に対して相対的に回動すると、液晶表示部１５および受光窓４０は、その回動に従って連動して回動する。また、受光窓４０および液晶表示部１５はいずれも表示素子ユニット１２の背面１２ｂに設けられ、これにより、受光窓４０は、液晶表示部１５の表示面１５ｃが向く方向と、常に同一の方向を向いている。したがって、受光窓４０は、表示面１５ｃが向く方向からデジタルカメラ１０に向かって送信される操作信号を受光することができる。すなわち、本実施形態においては、使用者が、液晶表示部１５を確認しながら、デジタルカメラ１０に向けてリモコン操作をすると、受光窓４０に操作信号が送信され、これにより使用者はデジタルカメラ１０を操作することができる。
【００２７】
例えば、図２に示すように撮像光学系ユニット１１の正面１１ａと、表示素子ユニット１２の背面１２ｂが同一平面に配置させられて、リモートコントロール撮影が行われる場合、使用者は、撮影光学系１４で捉えられ自分の被写体像を、液晶表示部１５で確認しながら、リモコン操作により撮影画像を撮影することができる。
【００２８】
また、図１に示すように、撮像光学系ユニット１１の背面１１ａと、表示素子ユニット１２の背面１２ｂが同一平面に配置させられて、通常の撮影が行われる場合でも、液晶表示部１５を確認しながら、リモコン操作により通常の撮影を行うことができる。この場合、例えばデジタルカメラ１０が台に置かれた上で、リモコンが用いられて通常の撮影が行われると、カメラが触れられることなく撮影が行われるので、手ぶれが防止される。
【００２９】
また再生モードでは、図１または図２いずれの状態においても、リモコン操作により、再生画像を確認しながら再生画像の切り替えをすることができる。
【００３０】
以上のように、本実施形態のデジタルカメラ１０は、表示素子が回動するのに合わせて、リモコンの受光部も回動するので、表示素子の表示面１５ｃが向く方向から、常にリモコンの操作信号を受信することができる。したがって、使用者は液晶表示部１５が見られる状態において、常にリモコン操作によりカメラを操作することができる。これにより、本実施形態では、簡単な構成で、リモートコントロール撮影のみならず、種々の用途において、デジタルカメラ１０をリモコン操作により動作させることができる。
【００３１】
また、本実施形態では、受光窓（受信部）は、背面１１ｂのみに１個しか設けられないが、表示素子ユニット１２の回動にあわせて３６０°回転する。したがって、本実施形態のデジタルカメラは簡単な構成で、いずれの方向から送られてくるリモコンの操作信号も受信することができる。
【００３２】
なお、本実施形態においては、リモートコントロールモードの場合には、リモコン受光部は、リモコンの操作信号を受信できる一方、リモートコントロールモードに設定されていなければ、操作信号を受信できない構成にしても良い。この場合、図２のように撮影光学系ユニット１１の正面１１ａと表示素子ユニット１２の背面１２ｂが同一面となったことを軸部１３に回動位置を検出するスイッチ機構を設けることで検知し、このスイッチ機構により図２の状態が検出された場合は、自動的にモードをリモートコントロールモードに設定されるようにしても良い。
【００３３】
また図２の状態では自分撮りを行うことも想定される。したがって、上述のスイッチ機構の検知により、リモートコントロールモードに設定された場合には、さらに測距を行い、その測距の結果に応じて、自分撮り撮影モードに変更されるようにしても良い。自分撮り撮影モードでは、レンズ位置が、自分撮り用のときのレンズ位置に設定され、さらに、リモコン受光部は再び操作信号が受信できないようになる。
【００３４】
さらに、受光部４０によりリモコン信号検知により制御を、モニタ１５により表示して撮影者に報知するようにしても良い。
【図面の簡単な説明】
【００３５】
【図１】本発明に係る一実施形態を適用したデジタルカメラの背面図である。
【図２】本発明に係る一実施形態を適用したデジタルカメラの背面図であって、撮影光学系ユニットが表示素子ユニットに対して１８０°回転したときの状態を示す図である。
【符号の説明】
【００３６】
１０  デジタルカメラ
１１  撮影光学系ユニット
１２  表示素子ユニット
１２ａ  正面
１２ｂ  背面
１５  液晶表示部
１５ｂ  液晶モニタ（表示素子）
１５ｃ  表示面
４０  受光窓（受信部）
【図１】
2006094139.tif 000003
【図２】
2006094139.tif 000004